(57)【特許請求の範囲】
【請求項１】
皮膚温を計測する皮膚温計測装置とともに用いられ、冷暖房機器を制御する機器制御装置であって、
前記皮膚温と前記冷暖房機器の制御内容との対応関係を記憶する記憶部と、
前記皮膚温計測装置で計測された前記皮膚温が入力される入力部と、
前記入力部に入力された前記皮膚温に対応付けられて前記記憶部に記憶されている前記制御内容に従って前記冷暖房機器を制御する機器制御部と、
前記記憶部に記憶されている前記対応関係を更新する更新部とを備え、
前記更新部は、前記機器制御部が前記制御内容に従って前記冷暖房機器を制御した後、予め決められた時間帯において、前記入力部に新たに入力された前記皮膚温が予め決められた快適温度範囲に含まれていない場合、前記記憶部に記憶されている前記対応関係の当該制御内容を、当該制御内容による制御の過不足が低減する方向に変更する
ことを特徴とする機器制御装置。
【請求項２】
前記対応関係が複数蓄積されたサーバから、前記記憶部に初期に記憶させる前記対応関係を取得する取得部を備えることを特徴とする請求項１記載の機器制御装置。
【請求項３】
温冷感に関する複数のタイプが予め決められており、ユーザのタイプが前記複数のタイプのいずれかであることを認識する認識部を備え、
前記サーバは、前記対応関係をタイプ別に蓄積し、
前記取得部は、前記認識部で認識された前記タイプに対応する前記対応関係を前記サーバから取得する
ことを特徴とする請求項２記載の機器制御装置。
【請求項４】
前記記憶部は、前記対応関係を気象条件別に記憶することを特徴とする請求項１〜３のいずれか１項に記載の機器制御装置。
【請求項５】
請求項１〜４のいずれか１項に記載の機器制御装置と、
皮膚温を計測する皮膚温計測装置と
を備えることを特徴とする機器制御システム。
【請求項６】
前記皮膚温計測装置は、前記機器制御装置とは別体の端末に設けられていることを特徴とする請求項５記載の機器制御システム。
【請求項７】
コンピュータを、
皮膚温と冷暖房機器の制御内容との対応関係を記憶する記憶部、
皮膚温計測装置で計測された前記皮膚温が入力される入力部、
前記入力部に入力された前記皮膚温に対応付けられて前記記憶部に記憶されている前記制御内容に従って前記冷暖房機器を制御する機器制御部、および、
前記機器制御部が前記制御内容に従って前記冷暖房機器を制御した後、予め決められた時間帯において、前記入力部に新たに入力された前記皮膚温が予め決められた快適温度範囲に含まれていない場合、前記記憶部に記憶されている前記対応関係の当該制御内容を、当該制御内容による制御の過不足が低減する方向に変更することによって、当該対応関係を更新する更新部
として機能させるためのプログラム。
【発明の詳細な説明】
【技術分野】
【０００１】
本発明は、冷暖房機器を制御する機器制御装置、機器制御システムおよびプログラムに関する。
【背景技術】
【０００２】
従来から、空調機器のユーザは、所定の屋内空間の温熱環境が快適でない場合に、リモコンを操作することによって、空調機器の設定温度を変更している。この場合、ユーザの意思を直接、空調機器の制御に反映させることができる。
【０００３】
ところが、ユーザによっては、屋内空間の温熱環境が快適でないにもかかわらず、リモコン操作が面倒であるという理由で、リモコン操作を行わないことがあった。
【０００４】
そこで、空調機器を制御する際にリモコン操作を不要とする手段として、特許文献１には、ユーザの皮膚温を用いて温冷感を推定し、この温冷感の推定値を数式に当てはめて空調機器の設定温度を決定する制御装置が開示されている。
【先行技術文献】
【特許文献】
【０００５】
【特許文献１】特開２０００−１０４９７２号公報
【発明の概要】
【発明が解決しようとする課題】
【０００６】
しかしながら、特許文献１に記載された従来の制御装置は、皮膚温と空調機器の設定温度との対応関係が固定されており、ユーザの好みを空調機器の制御に反映させることができなかった。
【０００７】
本発明は上記の点に鑑みて為された発明であり、本発明の目的は、ユーザによるリモコン操作を不要としながら、ユーザの好みを冷暖房機器の制御に反映させることができる機器制御装置、機器制御システムおよびプログラムを提供することにある。
【課題を解決するための手段】
【０００８】
本発明の機器制御装置は、皮膚温を計測する皮膚温計測装置とともに用いられ、冷暖房機器を制御する機器制御装置であって、前記皮膚温と前記冷暖房機器の制御内容との対応関係を記憶する記憶部と、前記皮膚温計測装置で計測された前記皮膚温が入力される入力部と、前記入力部に入力された前記皮膚温に対応付けられて前記記憶部に記憶されている前記制御内容に従って前記冷暖房機器を制御する機器制御部と、前記記憶部に記憶されている前記対応関係を更新する更新部とを備え、前記更新部は、前記機器制御部が前記制御内容に従って前記冷暖房機器を制御した後、予め決められた時間帯において、前記入力部に新たに入力された前記皮膚温が予め決められた快適温度範囲に含まれていない場合、前記記憶部に記憶されている前記対応関係の当該制御内容を、当該制御内容による制御の過不足が低減する方向に変更することを特徴とする。
【０００９】
この機器制御装置において、前記対応関係が複数蓄積されたサーバから、前記記憶部に初期に記憶させる前記対応関係を取得する取得部を備えることが好ましい。
【００１０】
この機器制御装置において、温冷感に関する複数のタイプが予め決められており、ユーザのタイプが前記複数のタイプのいずれかであることを認識する認識部を備え、前記サーバは、前記対応関係をタイプ別に蓄積し、前記取得部は、前記認識部で認識された前記タイプに対応する前記対応関係を前記サーバから取得することが好ましい。
【００１１】
この機器制御装置において、前記記憶部は、前記対応関係を気象条件別に記憶することが好ましい。
【００１２】
本発明の機器制御システムは、前記機器制御装置と、皮膚温を計測する皮膚温計測装置とを備えることを特徴とする。
【００１３】
この機器制御システムにおいて、前記皮膚温計測装置は、前記機器制御装置とは別体の端末に設けられていることが好ましい。
【００１４】
本発明のプログラムは、コンピュータを、皮膚温と冷暖房機器の制御内容との対応関係を記憶する記憶部、皮膚温計測装置で計測された前記皮膚温が入力される入力部、前記入力部に入力された前記皮膚温に対応付けられて前記記憶部に記憶されている前記制御内容に従って前記冷暖房機器を制御する機器制御部、および、前記機器制御部が前記制御内容に従って前記冷暖房機器を制御した後、予め決められた時間帯において、前記入力部に新たに入力された前記皮膚温が予め決められた快適温度範囲に含まれていない場合、前記記憶部に記憶されている前記対応関係の当該制御内容を、当該制御内容による制御の過不足が低減する方向に変更することによって、当該対応関係を更新する更新部として機能させるためのプログラムである。
【発明の効果】
【００１５】
本発明の機器制御装置、機器制御システムおよびプログラムによれば、制御内容に従って冷暖房機器を制御した後に、記憶部に記憶されている対応関係を、上記制御内容による制御の過不足が低減する方向に更新することができる。これにより、ユーザによるリモコン操作を不要としながら、ユーザの好みを冷暖房機器の制御に反映させることができる。
【図面の簡単な説明】
【００１６】
【図１】実施形態に係る機器制御システムの構成を示すブロック図である。
【図２】実施形態に係る対応テーブルを示す図である。
【図３】実施形態に係る機器制御システムの動作を示すフローチャートである。
【図４】実施形態に係る機器制御システムの初期動作を示すフローチャートである。
【図５】実施形態に係る気象条件別の対応テーブルを示す図である。
【発明を実施するための形態】
【００１７】
本実施形態に係る機器制御システム１は、図１に示すように、皮膚温を計測する皮膚温計測装置２と、皮膚温計測装置２で計測された皮膚温を用いて冷暖房機器６を制御する機器制御装置３とを備えている。
【００１８】
本実施形態の機器制御システム１は、機器制御装置３において、皮膚温と冷暖房機器６の制御内容とを対応付けた対応関係を参照し、冷暖房機器６のユーザ７の皮膚温に対応付けられた制御内容に従って冷暖房機器６を制御する。その後、機器制御システム１は、機器制御装置３において、新たに入力された皮膚温が快適温度範囲に含まれていない場合、上記対応関係における上記制御内容を変更する。以下、機器制御システム１の各構成要素について説明する。
【００１９】
本実施形態の冷暖房機器６は、冷房機能および暖房機能の両機能を有する機器と、冷房機能のみを有する冷房機器と、暖房機能のみを有する暖房機器との総称である。冷房機能および暖房機能の両機能を有する機器としては、例えば冷暖房用エアコンなどがある。冷房機能のみを有する冷房機器としては、例えば冷房専用エアコンなどがある。暖房機能のみを有する暖房機器としては、例えば床暖房機器やファンヒーターなどがある。冷暖房機器６は、図示しない所定の屋内空間の温熱環境を制御する。
【００２０】
皮膚温計測装置２は、機器制御装置３とは別体に設けられており、冷暖房機器６のユーザ７の皮膚温を計測し、計測結果を機器制御装置３へ出力する。皮膚温を計測する方法としては、赤外線サーモグラフィによって皮膚温を計測する非接触式の方法と、サーミスタを皮膚上に装着する接触式の方法とがある。
【００２１】
機器制御装置３は、皮膚温計測装置２で計測された皮膚温を冷暖房機器６の制御内容に変換して冷暖房機器６の動作を指示する装置である。この機器制御装置３は、ＣＰＵ（Central Processing Unit：中央処理装置）およびメモリが搭載されたコンピュータを主構成要素とし、プログラムに従って動作することによって、記憶部３１と入力部３２と機器制御部３３と更新部３４との各機能を実行する。
【００２２】
記憶部３１は、皮膚温と冷暖房機器６の制御内容との対応関係を、図２に示すような対応テーブル４として予め記憶している。本実施形態では、冷暖房機器６の制御内容として、現在の設定温度に加減する温度幅を表わす制御幅が設定されている。
【００２３】
図２に示す対応テーブル４は、温冷感と皮膚温とが対応付けられた第１のテーブルと、温冷感と制御内容とが対応付けられた第２のテーブルとを組み合わせて構成されている。対応テーブル４では、温冷感として、国際標準化機構（International Organization for Standardization：ＩＳＯ）の国際規格ＩＳＯ７７３０で定義されている７段階指標が用いられている。温冷感の数字が大きくなるほど、ユーザ７が暑いと感じる度合いが高くなる。一方、温冷感の数字が低くなるほど、ユーザ７が寒いと感じる度合いが高くなる。温冷感が「０」であるとは、ユーザ７が暑いとも寒いとも感じていないレベルである。一般的に、温冷感が「＋０．５」と「−０．５」との間を、ユーザ７が快適と感じる快適域とすることが多い。
【００２４】
第１のテーブルにおいて、皮膚温は温冷感に対応付けられている。温冷感「０」には、暑いとも寒いとも感じていないときの皮膚温が対応付けられている。例えば温冷感が０となるときの皮膚温が３６．５℃である場合、温冷感が正の数になるのは、皮膚温が３６．５℃より高いときである。例えば、ユーザ７の皮膚温が「３７．５℃」である場合、ユーザ７の温冷感は「＋２」を示す。一方、温冷感が負の数になるのは、皮膚温が３６．５℃より低いときである。例えば、ユーザ７の皮膚温が「３６．０℃」である場合、ユーザ７の温冷感は「−１」を示す。
【００２５】
なお、温冷感「０」に対応付けられる皮膚温は、ユーザ７の入力によって設定されてもよいし、皮膚温計測装置２によって自動設定されてもよい。皮膚温計測装置２によって自動設定される場合、例えば、冷暖房機器６をユーザ７が用いていない春や秋を学習期間とし、この学習期間内において最も発生頻度の高い皮膚温が、温冷感「０」に対応付けられて自動設定される。これにより、個々のユーザ７ごとに温冷感の基準を設定することができる。
【００２６】
第２のテーブルでは、温冷感を複数の範囲に区分けし、範囲ごとに、異なる制御幅が設定されている。温冷感が正の数である場合、温冷感が大きくなるほど、設定温度の下げ幅が大きくなっている。例えば温冷感が「＋２」である場合の制御幅は「−２℃」である。一方、温冷感が負の数である場合、温冷感が小さくなるほど、設定温度の上げ幅が大きくなっている。例えば温冷感が「−１」である場合の制御幅は、「＋１℃」である。
【００２７】
上記より、対応テーブル４では、第１のテーブルにおいて、皮膚温「３７．５℃」は、温冷感「＋２」に対応付けられており、第２のテーブルにおいて、温冷感「＋２」は、制御幅「−２℃」に対応付けられている。したがって、皮膚温「３７．５℃」は、制御幅「−２℃」に対応付けられていることになる。また、皮膚温「３６．０℃」は、温冷感「−１」に対応付けられており、温冷感「−１」は、制御幅「＋１℃」に対応付けられている。したがって、皮膚温「３６．０℃」は、制御幅「＋１℃」に対応付けられていることになる。
【００２８】
図１に示す入力部３２は、皮膚温計測装置２の出力側に接続されており、皮膚温計測装置２の計測結果が入力される。
【００２９】
機器制御部３３は、入力部３２に入力された計測結果に含まれている皮膚温を、記憶部３１に記憶されている対応テーブル４（図２参照）に照合し、上記皮膚温に対応付けられた制御内容を対応テーブル４から抽出する。例えば、皮膚温「３７．５℃」が計測結果に含まれている場合、機器制御部３３は、制御内容として制御幅「−２℃」を対応テーブル４から抽出する。
【００３０】
対応テーブル４から制御内容を抽出した機器制御部３３は、上記制御内容を、冷暖房機器６の動作を可能とする制御信号に変換し、この制御信号を冷暖房機器６に出力する。これにより、機器制御部３３は、対応テーブル４から抽出した制御内容に従って冷暖房機器６を制御することができる。例えば現在の設定温度が２７℃である場合、機器制御部３３は、制御内容として制御幅「−２℃」を抽出すると、設定温度「２５℃」の制御信号を冷暖房機器６に出力する。冷暖房機器６は、機器制御部３３から制御信号を受け取ると、上記制御信号に従って設定温度を２７℃から２５℃に変更する。
【００３１】
上述のようにして機器制御装置３は、ユーザ７の皮膚温に応じて冷暖房機器６の設定温度を変更させることができる。なお、温冷感「＋０．５」に対応付けられた皮膚温と温冷感「−０．５」に対応付けられた皮膚温との間である場合、機器制御装置３は、冷暖房機器６の制御を行わない。
【００３２】
ところで、ユーザ７の皮膚温に応じて機器制御装置３が冷暖房機器６の設定温度が変更させた場合であっても、ユーザ７の好みに合わないことがある。例えば、皮膚温「３７．５℃」に応じて機器制御装置３が冷暖房機器６の設定温度を「２℃」下げたとしても、まだ十分ではなく暑いと感じるユーザ７もいれば、設定温度が下がり過ぎて寒いと感じるユーザ７もいる。
【００３３】
そこで、機器制御装置３は、記憶部３１に記憶されている対応テーブル４（図２参照）を更新する機能を有している。機器制御部３３が制御内容に従って冷暖房機器６を制御した後に入力部３２に新たに入力された計測結果に含まれている皮膚温が快適温度範囲に含まれていない場合、更新部３４は、記憶部３１に記憶されている対応テーブル４の上記制御内容を変更する。
【００３４】
更新部３４は、上記制御内容による制御の過不足が低減する方向に、記憶部３１に記憶されている対応テーブル４の制御内容を変更する。本実施形態では、更新部３４は、対応テーブル４のうち、温冷感と皮膚温とが対応付けられた第１のテーブルを更新する。この際、温冷感と制御幅（制御内容）とが対応付けられた第２のテーブルはそのままである。なお、更新部３４は、機器制御部３３が制御内容に従って冷暖房機器６を制御した後、予め決められた時間帯に入力された皮膚温が快適温度範囲に含まれていない場合に、対応テーブル４を更新することが好ましい。上記時間帯は、計時部３５が計時する。この際、計時部３５は、上記皮膚温が快適温度範囲に含まれていないと判断した時点から上記時間帯を計時してもよいし、上記皮膚温が快適温度範囲に含まれていないと判断してから所定時間が経過した時点から上記時間帯を計時してもよい。
【００３５】
このような冷暖房機器６の制御および対応テーブル４の更新について図３を用いて説明する。例えばユーザ７の皮膚温が「３７．５℃」である場合、皮膚温計測装置２がユーザ７の皮膚温を計測し、皮膚温計測装置２の計測結果が機器制御装置３の入力部３２に入力される（Ｓ１）。機器制御部３３は、記憶部３１に記憶されている対応テーブル４（図２参照）から、皮膚温「３７．５℃」に対応付けられた温冷感「＋２」および制御内容として制御幅「−２℃」を抽出する（Ｓ２，Ｓ３）。その後、機器制御部３３は、現在の設定温度から２℃低い新しい設定温度を含む制御信号を冷暖房機器６に出力する（Ｓ４）。冷暖房機器６は、設定温度を現在より２℃低い温度に変更する。
【００３６】
機器制御部３３が冷暖房機器６を制御した後、予め決められた時間帯に新たに入力された皮膚温が快適温度範囲に含まれていない場合（Ｓ５の「ＮＯ」）、以下のように動作する。皮膚温が快適温度範囲より高ければ、更新部３４は、対応テーブル４において、皮膚温「３７．５℃」に対応付けられた温冷感を「＋２」から「＋３」に変更し、変更後の対応テーブル４を記憶部３１に記憶させる（Ｓ６）。これにより、皮膚温「３７．５℃」に対応付けられた制御幅は「−３℃」になる。一方、皮膚温が快適温度範囲より低ければ、更新部３４は、対応テーブル４において、皮膚温「３７．５℃」に対応付けられた温冷感を「＋２」から「＋１」に変更し、変更後の対応テーブル４を記憶部３１に記憶させる（Ｓ７）。これにより、皮膚温「３７．５℃」に対応付けられた制御幅は「−１℃」になる。
【００３７】
ステップＳ５において、冷暖房機器６を制御してから一定時間が経過するまでの間に新たに入力された皮膚温が快適温度範囲に含まれている場合（Ｓ５の「ＹＥＳ」）、対応テーブル４は変更されずに、そのまま記憶部３１に記憶されている（Ｓ８）。
【００３８】
上記の動作により、機器制御装置３は、ユーザ７の好みを反映した制御を行うことができる。
【００３９】
ところで、機器制御装置３は、図１に示すように、サーバ５と通信する通信部３６と、ユーザ７の温冷感に関するタイプを認識する認識部３７とを備えている。温冷感に関するタイプは予め決められており、例えば暑さを感じる度合いが普通の人以上である「暑がりタイプ」や、寒さを感じる度合いが普通の人以上である「寒がりタイプ」などがある。また、冷え性の度合いによって複数のタイプが決められていてもよい。
【００４０】
認識部３７は、ユーザ７の入力によってユーザ７のタイプを認識する手段であってもよいし、これまでの冷暖房機器６の設定温度の履歴情報からユーザ７のタイプを認識する手段であってもよい。ユーザ７のタイプをユーザ７が入力する際に用いられる入力装置としては、例えばキーボードや複数の操作ボタン、タッチパネルなどがある。
【００４１】
通信部３６は、更新部３４で更新されて記憶部３１に記憶されている対応テーブル４（図２参照）と、認識部３７で認識されたユーザ７のタイプとをサーバ５に送信する。
【００４２】
サーバ５は、機器制御装置３と通信するサーバ側通信部５１と、複数の対応テーブル４を蓄積するサーバ側記憶部５２と、サーバ５の各機能を制御するサーバ側制御部５３とを備えている。
【００４３】
サーバ側通信部５１は、対応テーブル４と、ユーザ７のタイプとを機器制御装置３から受信する。
【００４４】
サーバ側記憶部５２は、これまでに機器制御装置３においてユーザ７ごとにカスタマイズされた後の対応テーブル４を蓄積している。さらに、サーバ側記憶部５２は、複数の対応テーブル４をタイプ別に蓄積している。
【００４５】
また、機器制御装置３は、記憶部３１に初期に記憶させる対応テーブル４をサーバ５から取得することができる。この機器制御装置３は、サーバ５から対応テーブル４を取得する取得部３８をさらに備えている。
【００４６】
取得部３８は、記憶部３１に初期に記憶させる対応テーブル４をサーバ５から取得する。この際、認識部３７で認識されたユーザ７のタイプを通信部３６がサーバ５へ送信し、認識部３７で認識されたユーザ７のタイプに対応する対応テーブル４を取得部３８がサーバ５から取得する。
【００４７】
サーバ５では、サーバ側制御部５３は、以下のタイプ取得部と選択部との各機能を実行する。サーバ側制御部５３は、タイプ取得部の機能として、機器制御装置３の認識部３７で認識されたユーザ７のタイプを機器制御装置３から取得する。また、サーバ側制御部５３は、選択部の機能として、取得したタイプに対応してサーバ側記憶部５２に蓄積されている対応テーブル４を選択する。サーバ側通信部５１は、サーバ側制御部５３で選択された対応テーブル４を機器制御装置３へ送信する。
【００４８】
このような対応テーブル４のサーバ５からの取得について図４を用いて説明する。まず、サーバ５は、これまでに取得した複数の対応テーブル４をタイプ別に分類して蓄積している（Ｓ１１）。機器制御装置３は、新規のユーザ７のタイプを認識する（Ｓ１２）。その後、サーバ５は、蓄積されている複数の対応テーブル４の中から、ユーザ７のタイプに対応する対応テーブル４を選択し（Ｓ１３）、機器制御装置３は、ユーザ７のタイプに対応する対応テーブル４をサーバ５から取得して記憶する（Ｓ１４）。
【００４９】
このような動作により、機器制御装置３は、新規のユーザ７のタイプに適した対応テーブル４をサーバ５から取得することができる。
【００５０】
ところで、ユーザ７の皮膚温とユーザ７の温冷感との関係は、年中同じではなく、気象条件によって変わる。本実施形態の気象条件としては、季節・外気温などがある。外気温としては、例えば１日の平均を採用することができる。例えば春と夏とでは、ユーザ７が同じ皮膚温であっても、ユーザ７の温冷感が異なる場合が多い。また、例えば同じ夏期でも、猛暑時とそれほど暑くはない時とでは、ユーザ７が同じ皮膚温であっても、ユーザ７の温冷感が異なる場合が多い。
【００５１】
そこで、図５に示すように、記憶部３１は、気象条件別に対応テーブル４を記憶している。図５の例では、記憶部３１は、外気温の範囲ごとに対応テーブル４を記憶している。すなわち、記憶部３１は、外気温が０℃未満である範囲に対応する対応テーブル４１と、外気温が０℃以上８℃未満である範囲に対応する対応テーブル４２と、外気温が８℃以上１６℃未満である範囲に対応する対応テーブル４３とを記憶している。さらに、記憶部３１は、外気温が１６℃以上２４℃未満である範囲に対応する対応テーブル４４と、外気温が２４℃以上３２℃未満である範囲に対応する対応テーブル４５と、外気温が３２℃以上である範囲に対応する対応テーブル４６とを記憶している。また、記憶部３１は、外気温の範囲ごとに存在する複数の対応テーブル４１〜４６の組み合わせを季節ごとに記憶している。
【００５２】
機器制御装置３は、図１に示すように、現在の外気温に関する温度情報を取得する外気温取得部３９をさらに備えている。外気温取得部３９は、屋外に設けられて現在の外気温を計測する外気温計測手段（例えば温度センサ）であってもよいし、外気温情報の入力を受け付ける外気温入力手段であってもよい。外気温入力手段としては、外部装置（図示せず）から外気温情報を受け取る手段や、現在の外気温をユーザ７が入力することによって外気温情報を取得する手段などがある。現在の外気温をユーザ７が入力する際に用いられる入力装置としては、例えばキーボードや複数の操作ボタン、タッチパネルなどがある。
【００５３】
機器制御部３３は、外気温取得部３９で取得された外気温が含まれる範囲の対応テーブル４（図５参照）を選択し、選択した対応テーブル４を用いて制御内容を抽出する。
【００５４】
ところで、機器制御装置３の記憶部３１は、対応テーブル４を記憶するだけではなく、機器制御装置（コンピュータ）３が各種の機能を実行するためのプログラムを格納している。すなわち、記憶部３１は、機器制御装置３を記憶部３１、入力部３２、機器制御部３３、更新部３４、計時部３５、通信部３６、認識部３７、取得部３８および外気温取得部３９として機能させるためのプログラムを格納している。上記プログラムは、機器制御装置３の出荷時に記憶部３１に予め格納されている。ただし、機器制御装置３が上記プログラムを出荷後に取得する場合、機器制御装置３が上記プログラムを取得する手法の一例としては、上記プログラムを記録したコンピュータ読み取り可能な記録媒体を用いる手法がある。記録媒体を用いる手法の場合、機器制御装置３は、記録媒体のデータを読み取るための読取装置（図示せず）を備えていればよい。記録媒体としては、例えば光ディスクやメモリカードなどがある。読取装置としては、光ディスクの情報を読み出すドライブ装置や、メモリカードの情報を読み出すメモリカードリーダなどがある。また、機器制御装置３が上記プログラムを取得する他の手法としては、ネットワークを用いて上記プログラムを他の装置（例えばサーバ５など）からダウンロードする手法がある。上記プログラムをダウンロードする手法の場合、機器制御装置３は、ネットワークを用いて他の装置と通信するための通信機能（図示せず）を有していればよい。
【００５５】
以上説明した本実施形態の機器制御システム１では、機器制御装置３において、機器制御部３３が、対応テーブル４（対応関係）を参照し、皮膚温計測装置２の計測結果に含まれている皮膚温に対応付けられた制御内容に従って冷暖房機器６を制御する。これにより、ユーザ７によるリモコン操作を不要としながら、温熱環境に対するユーザ７の意思を冷暖房機器６の制御に反映させることができる。
【００５６】
また、本実施形態の機器制御システム１では、機器制御部３３が制御内容に従って冷暖房機器６を制御した後に入力部３２に新たに入力された皮膚温が快適温度範囲に含まれていない場合、記憶部３１に記憶されている対応テーブル４を更新部３４が更新する。この際、更新部３４は、対応テーブル４の制御内容を、上記制御内容による制御の過不足が低減する方向に変更する。これにより、ユーザ７によるリモコン操作を不要としながら、ユーザ７の好みを冷暖房機器６の制御に反映させることができる。
【００５７】
さらに、本実施形態の機器制御システム１では、これまでにユーザ７ごとにカスタマイズされた対応テーブル４がサーバ５に蓄積されているので、新規のユーザ７は、サーバ５に蓄積された対応テーブル４の１つをデフォルト値として用いることができる。既にカスタマイズされた対応テーブル４を用いることによって、皮膚温と制御内容との対応付け（皮膚温と温冷感との対応付けを含む）を、より現実に近づけることができる。
【００５８】
また、サーバ５が温冷感に関するタイプ別に対応テーブル４を蓄積することによって、対応テーブル４を記憶部３１に初期に記憶させる際に、ユーザ７のタイプに適切な対応テーブル４をサーバ５から取得することができる。
【００５９】
さらに、本実施形態の機器制御システム１では、気象条件別に対応テーブル４を記憶部３１に記憶させることによって、気象条件を考慮しながら冷暖房機器６を制御することができる。
【００６０】
また、皮膚温計測装置２が機器制御装置３とは別体の端末に設けられていることによって、例えば皮膚温計測機能を有する汎用の端末を皮膚温計測装置２として用いることができるので、システムの初期費用を低減させることができる。
【符号の説明】
【００６１】
１  機器制御システム
２  皮膚温計測装置
３  機器制御装置
３１  記憶部
３２  入力部
３３  機器制御部
３４  更新部
３７  認識部
３８  取得部
４（４１〜４６）  対応テーブル（対応関係）
５  サーバ
６  冷暖房機器
【図１】
0005988195.tif 000002
【図２】
0005988195.tif 000003
【図３】
0005988195.tif 000004
【図４】
0005988195.tif 000005
【図５】
0005988195.tif 000006